(57)【要約】【課題】用紙ガイドの機能を維持し、ユーザの操作性を維持しつつ、小型化を図る。【解決手段】ファクシミリ１０は、記録紙トレイ１６を閉じた状態としたときに、記録紙トレイ１６に押されて、用紙ガイド１２が倒れこむようになっているので、用紙ガイド１２の機能を維持し、ユーザの操作性を維持しつつ、ファクシミリ１０全体としての小型化を図ることができる。【選択図】図１
2012030944.tif 000002
【特許請求の範囲】
【請求項１】
機器の内部に用紙を取り込む用紙挿入部に向かって搬送される用紙の紙幅方向への移動を規制する用紙ガイドと、上記用紙挿入部および上記用紙ガイドが機器の外部に露出しないようにする開閉可能な蓋部材とを備える機器であって、
上記用紙ガイドは、上記蓋部材が開いた状態のときに、起立して、用紙の紙幅方向への移動を規制し、
上記蓋部材が閉じた状態のときに、該蓋部材に押されて、倒れこむようになっていることを特徴とする機器。
【請求項２】
上記蓋部材が開いた状態のときに、上記用紙ガイドが倒れこまないように支持するガイド支持部材と、
上記ガイド支持部材による支持を解除する支持解除部材とを備えていることを特徴とする請求項１に記載の機器。
【請求項３】
上記ガイド支持部材は、上記用紙ガイドに当接することによって該用紙ガイドを支持するものであり、
上記支持解除部材は、
上記蓋部材上に設けられたスイッチ部と、
該スイッチ部に対する操作によって、上記蓋部材から突出する突出部と、
該突出部が突出した状態で上記蓋部材を閉じたときに、上記突出部に押されることにより、上記ガイド支持部材を上記用紙ガイドに当接しない位置に移動させる支持部材移動部とを含むことを特徴とする請求項２に記載の機器。
【請求項４】
上記蓋部材に押されて倒れこんだ上記用紙ガイドを、上記蓋部材を開いた状態としたときに立ち上がらせる立上部材を備えていることを特徴とする請求項１〜３のいずれか１項に記載の機器。
【請求項５】
上記用紙ガイドの上記蓋部材と当接する部位は、該蓋部材から、用紙ガイドの倒れこみ方向の力を受けることができるように傾斜した形状となっていることを特徴とする請求項１〜４のいずれか１項に記載の機器。
【発明の詳細な説明】
【技術分野】
【０００１】
本発明は、紙送りを行うための用紙ガイドを備える機器に関する発明である。
【背景技術】
【０００２】
従来、ファクシミリ、複写機、およびプリンタ等の紙送りを行う機器は、機器が読み取るべき画像が形成されている用紙が挿入される用紙挿入部と、用紙の面に対して垂直な方向に向かって突出している用紙ガイド（用紙挿入部に挿入されている用紙の面に対して平行かつ該挿入の方向に対して垂直な方向に関して、該用紙を所定の位置に導くための突起）とを備えるものが知られている。
【０００３】
ここで、下記の特許文献１および２では、機器の小型化を図るために、上記用紙挿入部および用紙ガイドを備える本体を収容しており、該用紙ガイドの直上にて開口している開口部を有している筐体と、該開口部が開放している位置から該開口部を塞ぐ位置まで変位可能であるように該本体に対して取り付けられた蓋部とを備えるものが開示されている（特許文献１および２参照）。
【０００４】
従来技術に係る画像記録装置の構成について、図１９および図２０を参照して説明する。
【０００５】
特許文献１および２に開示されている画像記録装置（紙送りを行う機器）３００は、用紙挿入部３０１および用紙ガイド３０２を少なくとも備える本体３０３と、本体３０３を収容しており、用紙ガイド３０２の直上にて開口している開口部３０４を有している筐体３０５と、開口部３０４が開放している位置から開口部３０４を塞ぐ位置まで変位可能であるように本体３０３に対して取り付けられた蓋部３０６とを備える構成である。
【０００６】
図１９において、蓋部３０６は、画像記録装置３００に対して開かれた、すなわち、開口部３０４が開放している位置となっている。これにより、蓋部３０６の裏面（閉じたときに本体３０３側を向く面）は、用紙を支持する記録紙トレイとして機能する。
【０００７】
また、蓋部３０６は、画像記録装置３００に対して閉じられること、すなわち、開口部３０４を塞ぐ位置まで変位可能である（図２０参照）。閉じた状態では、蓋部３０６が本体３０３から突出しないので、用紙挿入部３０１を使用しないときの画像記録装置３００のサイズをコンパクトにすることができる。
【０００８】
さらに、紙送りを行う機器に関する先行技術文献としては、特許文献３が挙げられる。特許文献３には、排出された記録シートの紙幅方向の位置ズレを防止するためのサブプレートを折りたたむことが可能な自動給紙装置が開示されている。
【先行技術文献】
【特許文献】
【０００９】
【特許文献１】特開２００７−３７０４３号公報（２００７年２月８日公開）
【特許文献２】特開２００７−３１１３６号公報（２００７年２月８日公開）
【特許文献３】特開平４−２２６７７４号公報（１９９２年８月１７日公開）
【発明の概要】
【発明が解決しようとする課題】
【００１０】
ここで、図１９および図２０の画像記録装置３００では、突起である用紙ガイド３０２の丈が高い場合、蓋部３０６を閉じたときに、蓋部３０６が用紙ガイド３０２に当接しないように、筐体３０５の丈を高くする必要があるため、小型化が不十分になるという問題が発生する。
【００１１】
一方、画像記録装置３００の小型化が不十分になるという上記の問題を解決するために、用紙ガイド３０２の丈を低くした場合、用紙ガイド３０２によって上記所定の位置に一括して導くことが可能な用紙の枚数が少なくなるという問題が発生する。
【００１２】
すなわち、用紙ガイド３０２は、側面の部分で、用紙挿入部３０１に挿入されている用紙の面に対して平行かつ該挿入の方向に対して垂直な方向への、用紙の動きを規制することで、該用紙を上記所定の位置に導く機能を達成するものである。このため、用紙ガイド３０２は、例えば用紙が多数重なって用紙挿入部３０１に挿入されている場合に、自身の丈よりも低い位置にある用紙を上記所定の位置に導くことができる一方、自身の丈よりも高い位置にある用紙を上記所定の位置に導くことができない。従って、用紙ガイド３０２の丈を低くした場合、用紙ガイド３０２においては、上記所定の位置に一括して導くことが可能な用紙の枚数が少なくなる。
【００１３】
また、用紙ガイド３０２は一般的に、種々のサイズの用紙に対応できるように、例えば画像記録装置３００のユーザが用紙ガイド３０２を指でつまんで、用紙挿入部３０１に挿入されている用紙の幅方向（用紙の面に対して平行かつ該挿入の方向に対して垂直な方向）に、移動させることが可能となっている。このため、用紙ガイド３０２の丈を低くした場合、ユーザが用紙ガイド３０２を指でつまむ等して移動させることが困難となるため、ユーザの操作性が悪化するという問題も発生する。
【００１４】
従って、特許文献１および２に開示されている画像記録装置３００は、小型化を図ることが困難であるという問題、ならびに、用紙ガイド３０２の機能が低下すると共にユーザにとっての操作性が悪化するという問題のうち、少なくとも一方の問題が発生する。
【００１５】
本発明は、上記の問題に鑑みて為された発明であり、その目的は、用紙ガイドの機能およびユーザの操作性を維持しつつ、小型化を図ることが可能である機器を提供することにある。
【課題を解決するための手段】
【００１６】
本発明の機器は、上記の問題を解決するために、機器の内部に用紙を取り込む用紙挿入部に向かって搬送される用紙の紙幅方向への移動を規制する用紙ガイドと、上記用紙挿入部および上記用紙ガイドが機器の外部に露出しないようにする開閉可能な蓋部材とを備える機器であって、上記用紙ガイドは、上記蓋部材が開いた状態のときに、起立して、用紙の紙幅方向への移動を規制し、上記蓋部材が閉じた状態のときに、該蓋部材に押されて、倒れこむようになっていることを特徴としている。
【００１７】
上記の構成によれば、用紙ガイドは、蓋部材に押されて倒れるため、丈が高い場合であっても、機器の小型化の妨げとならない。
【００１８】
また、本発明の機器は、小型化を図るにあたって、用紙ガイドの丈を低くする必要が無いので、用紙ガイドの機能を維持すると共にユーザの操作性を維持することができる。
【００１９】
従って、本発明の機器によれば、用紙ガイドの機能を維持し、かつユーザの操作性を維持しつつ、小型化を図ることができる。
【００２０】
また、上記機器は、上記蓋部材が開いた状態のときに、上記用紙ガイドが倒れこまないように支持するガイド支持部材と、上記ガイド支持部材による支持を解除する支持解除部材とを備えているのが好ましい。
【００２１】
上記の構成によれば、ガイド支持部材が用紙ガイドを支持する。これにより、例えば、ユーザが用紙ガイドを移動させる等の操作を行うときに、用紙ガイドが倒れこまないので、ユーザの操作性を向上させることができる。
【００２２】
そして、ガイド支持部材による支持は、支持解除部材によって解除可能となっているので、蓋部材を閉じた状態としたときには、用紙ガイドを倒れこませてコンパクトな状態とすることができる。
【００２３】
また、上記ガイド支持部材は、上記用紙ガイドに当接することによって該用紙ガイドを支持するものであり、上記支持解除部材は、上記蓋部材上に設けられたスイッチ部と、該スイッチ部に対する操作によって、上記蓋部材から突出する突出部と、該突出部が突出した状態で上記蓋部材を閉じたときに、上記突出部に押されることにより、上記ガイド支持部材を上記用紙ガイドに当接しない位置に移動させる支持部材移動部とを含むのが好ましい。
【００２４】
上記の構成によれば、ガイド支持部材は、用紙ガイドに当接することによって該用紙ガイドを支持するものであり、支持解除部材は、蓋部材上に設けられたスイッチ部と、該スイッチ部に対する操作によって蓋部材から突出する突出部と、該突出部が突出した状態で蓋部材を閉じたときに、突出部に押されることにより、ガイド支持部材を用紙ガイドに当接しない位置に移動させる支持部材移動部と含むので、スイッチ部の操作によってガイド支持部材による支持を容易に解除することができる。また、スイッチ部が蓋部材に設けられているので、ユーザは、蓋部材を閉じる動作を行うときに、無理なくスイッチ部を操作することができる。
【００２５】
また、上記機器は、上記蓋部材に押されて倒れこんだ上記用紙ガイドを、上記蓋部材を開いた状態としたときに立ち上がらせる立上部材を備えているのが好ましい。
【００２６】
上記の構成によれば、立上部材が倒れていた用紙ガイドを立ち上げるので、ユーザは、用紙ガイドを自ら立ち上げる必要がない。
【００２７】
また、上記用紙ガイドの上記蓋部材と当接する部位は、該蓋部材から、用紙ガイドの倒れこみ方向の力を受けることができるように傾斜した形状となっているのが好ましい。
【００２８】
上記の構成によれば、用紙ガイドの蓋部材と当接する部位が傾斜した形状となっているので、蓋部材から、用紙ガイドの倒れこみ方向の力を受けたスムーズな倒れこみが実現する。
【発明の効果】
【００２９】
以上のとおり、本発明の機器は、蓋部材を閉じた状態としたときに、該蓋部材に押されて、用紙ガイドが倒れこむ構成である。
【００３０】
従って、本発明は、用紙ガイドの機能を維持し、かつユーザの操作性を維持しつつ、小型化を図ることができるという効果を奏する。
【図面の簡単な説明】
【００３１】
【図１】本発明の実施の形態に係る機器の構成を示す斜視図であり、蓋部が開いて、開口部が開放している状態を示す図である。
【図２】上記機器の構成を示す斜視図であり、蓋部が、開口部が開放している位置から開口部を塞ぐ位置まで変位している最中の状態を示す図である。
【図３】上記機器の構成を示す斜視図であり、蓋部が閉じて、開口部を塞ぐ位置にある状態を示す図である。
【図４】上記機器のうち、用紙ガイドおよびその近傍を含む領域を拡大して示した斜視図である。
【図５】図５（ａ）は、従来技術に係る画像記録装置の断面を簡略的に図示したイメージ図であり、図５（ｂ）は、上記機器の断面を簡略的に図示したイメージ図である。
【図６】用紙ガイドが倒れる構成を達成するための、最も基本的な原理を示す図である。
【図７】上記機器における、本体に対する、用紙ガイド、蓋部、および筐体の組み立ての概略を示した図である。
【図８】図８（ａ）は、用紙ガイドが倒れていない状態を示す正面図であり、図８（ｂ）は、図８（ａ）のうち、用紙ガイドが倒れる構成に関連する機構のみを拡大して図示した側面図であり、図８（ｃ）〜（ｆ）はそれぞれ、図８（ｂ）のｃ−ｃ断面、ｄ−ｄ断面、ｅ−ｅ断面、ならびにｆ−ｆ断面を示す断面図である。
【図９】図９（ａ）は、用紙ガイドのロックを解除して、用紙ガイドが倒れている最中の状態を示す正面図であり、図９（ｂ）は、図９（ａ）のうち、用紙ガイドが倒れる構成に関連する機構のみを拡大して図示した側面図である。
【図１０】図１０（ａ）は、用紙ガイドが倒れた状態を示す正面図であり、図１０（ｂ）は、図１０（ａ）のうち、用紙ガイドが倒れる構成に関連する機構のみを拡大して図示した側面図である。
【図１１】図１１（ａ）は、図１０（ａ）に示す状態の後に用紙ガイドをロックした状態を示す正面図であり、図１１（ｂ）は、図１１（ａ）のうち、用紙ガイドが倒れる構成に関連する機構のみを拡大して図示した側面図である。
【図１２】蓋部を閉じたときに、用紙ガイドが倒れる要領の詳細を示す側面図であり、蓋部が開いている状態を示す図である。
【図１３】蓋部を閉じたときに、用紙ガイドが倒れる要領の詳細を示す側面図であり、蓋部が開いているときに、折曲許可部材を操作した状態を示す図である。
【図１４】蓋部を閉じたときに、用紙ガイドが倒れる要領の詳細を示す側面図であり、蓋部を閉じていく状態を示す図である。
【図１５】蓋部を閉じたときに、用紙ガイドが倒れる要領の詳細を示す側面図であり、カムがクランクシャフトに当接する状態を示す図である。
【図１６】蓋部を閉じたときに、用紙ガイドが倒れる要領の詳細を示す側面図であり、用紙ガイドが倒れることが許可された状態を示す図である。
【図１７】蓋部を閉じたときに、用紙ガイドが倒れる要領の詳細を示す側面図であり、蓋部が閉じられた状態を示す図である。
【図１８】蓋部を閉じたときに、用紙ガイドが倒れる要領の詳細を示す側面図であり、蓋部が閉じられた後に、折曲許可部材を操作した状態を示す図である。
【図１９】従来技術に係る画像記録装置の構成を示す図であり、蓋部が、開口部が開放している位置にある状態を示す図である。
【図２０】従来技術に係る画像記録装置の構成を示す図であり、蓋部が、開口部を塞ぐ位置にある状態を示す図である。
【発明を実施するための形態】
【００３２】
本発明を実施するための形態について、図１〜図１８を参照して説明する。
【００３３】
図１は、本発明の実施の形態に係る機器の構成を示す斜視図であり、蓋部が開いて、開口部が開放している状態を示す図である。
【００３４】
図２は、上記機器の構成を示す斜視図であり、蓋部が、開口部が開放している位置から開口部を塞ぐ位置まで変位している最中の状態を示す図である。
【００３５】
図３は、上記機器の構成を示す斜視図であり、蓋部が閉じて、開口部を塞ぐ位置にある状態を示す図である。
【００３６】
ファクシミリ（紙送りを行う機器）１０は、用紙挿入部１１および用紙ガイド１２を少なくとも備える本体１３、筐体部１５、ガイドリブ１８を備える記録紙トレイ（蓋部材）１６、操作パネル部１７、つまみ部材（支持解除部材、スイッチ部）１９、記録紙挿入部（用紙挿入部）２０、および受話器２３を備えるものである。筐体部１５および操作パネル部１７によって構成されているファクシミリ１０の筐体には、開口部１４が形成されている。
【００３７】
用紙挿入部１１は、ファクシミリ１０から他の機器（図示しない）へと送信すべき原稿をはじめとする、ファクシミリ１０が読み取るべき画像が形成されている用紙（以下、単に「用紙」と称する）を本体１３に対して導入するための、用紙の挿入口である。用紙が用紙挿入部１１に挿入されると、ファクシミリ１０は、用紙挿入部１１から用紙を本体１３（機器の内部）に取り込み、本体１３に備えられたイメージセンサ（図示しない）により、本体１３に取り込まれた用紙に形成されている画像を読み取り、その後、用紙を排出する。用紙挿入部１１は、開口部１４から用紙を挿入することが可能であるような位置に設けられている。
【００３８】
用紙ガイド１２は、用紙挿入部１１に挿入されている（換言すれば、用紙挿入部１１に向かって搬送される）用紙の面に対して平行かつ該挿入の方向に対して垂直な方向、すなわち、該用紙の紙幅の方向に関して、該用紙を所定の位置に導くための突起状の部材である。用紙ガイド１２は、用紙挿入部１１に挿入されている用紙の面に対して垂直な方向に向かって突出している。
【００３９】
より詳細には、用紙ガイド１２は、その側面の部分で、用紙挿入部１１に挿入されている用紙の、紙幅方向への動きを規制することで、該用紙を上記所定の位置に導く機能を達成するものである。このため、その構造上、用紙ガイド１２は、例えば用紙が多数重なって用紙挿入部１１に挿入されている場合に、自身の丈よりも低い位置にある用紙を上記所定の位置に導くことができる一方、自身の丈よりも高い位置にある用紙を上記所定の位置に導くことができない。
【００４０】
ここで、用紙ガイド１２には、本体に向かって右側の用紙ガイド１２Ｒと、左側の用紙ガイド１２Ｌとが含まれる。ファクシミリ１０を正面から見た場合、用紙ガイド１２Ｒは右側にて、用紙ガイド１２Ｌは左側にて、用紙挿入部１１に挿入されている用紙を上記所定の位置に導くものである。用紙ガイド１２は、用紙挿入部１１に挿入されている用紙を、紙幅方向における両側から挟む構成であるため、該用紙の位置ズレを抑制することができる。但し、用紙ガイド１２は、用紙ガイド１２Ｒまたは用紙ガイド１２Ｌのいずれかを備える構成であってもよい。
【００４１】
また、用紙ガイド１２は、種々のサイズの用紙に対応できるように、例えばファクシミリ１０のユーザが指でつまんで、用紙挿入部１１に挿入されている用紙の紙幅の方向にスライドさせて、同方向に沿って移動させることが可能となっている。詳細には、用紙ガイド１２は、用紙ガイド１２Ｒおよび用紙ガイド１２Ｌが、その一方の移動に連動してその他方が移動する構成となっている。但し、用紙ガイド１２Ｒおよび用紙ガイド１２Ｌは、互いに独立して移動可能なものであってもよい。また、用紙ガイド１２は、該スライドが不能なもの、すなわち、本体１３に固定されているものであってもよい。
【００４２】
用紙ガイド１２は、開口部１４の下部に設けられており、これにより、ユーザが指でつまんで移動させることができるようになっている。
【００４３】
本体１３は、用紙挿入部１１および用紙ガイド１２の他、ファクシミリ１０が一般的なファクシミリとしての機能を実現するために必要とする各種部材を備える。本体１３に備えられるこの他の部材の一例としては、イメージセンサ、取り込まれた用紙および記録紙４１の各搬送路が挙げられる。
【００４４】
筐体部１５は、本体１３が外部に露出しないように、本体１３を収容している、ファクシミリ１０における外装用の部材である。また、筐体部１５および操作パネル部１７は、用紙挿入部１１および用紙ガイド１２の上方にて開口しており、この開口している部分を、本実施の形態では開口部１４と称している。これにより、ファクシミリ１０では、開口部１４の直下にある用紙挿入部１１および用紙ガイド１２に対して、ユーザの手作業による操作を施すことが可能となっている。
【００４５】
記録紙挿入部２０は、ファクシミリ１０により画像が形成されるべき記録紙４１をファクシミリ１０の内部に取り込むためのものである。
【００４６】
記録紙トレイ１６は、本体１３に取り付けられている。この記録紙トレイ１６は、記録紙挿入部２０に挿入する記録紙４１を支持するものである。同図では、記録紙４１を破線で示している。記録紙トレイ１６に支持された記録紙４１は、記録紙挿入部２０から本体１３に取り込まれ、ファクシミリ１０によって画像が形成された後、ファクシミリ１０から排出される。また、記録紙トレイ１６は、本体１３への取り付け部分を軸とした回動によって、開口部１４が開放している（ファクシミリ１０に対して開いている）位置から開口部１４を塞ぐ（ファクシミリ１０に対して閉じている）位置まで変位可能なものである。つまり、記録紙トレイ１６は、使用しないときには、閉じた状態とすることができ、閉じた状態においては、開口部１４を塞ぐ（記録紙挿入部２０および用紙ガイド１２等がファクシミリ１０の外部に露出しないようにする）蓋として機能する。
【００４７】
操作パネル部１７は、操作ボタン群２１および表示部２２を有している。操作ボタン群２１は、複数の操作ボタンを有しており、各操作ボタンの押圧によって、ファクシミリ１０に対する文字または数字の入力を行ったり、ファクシミリ１０の各種設定および各種機能の実行を指示したりするためのものである。表示部２２は、画像を表示するものである。表示部２２は、ファクシミリ１０の設定、ファクシミリ１０において実行中の機能、および操作ボタン群２１によって入力された文字または数字の表示等といった、ファクシミリ１０に関する各種情報を表示し、ユーザが該各種情報を視覚的に確認することを可能とすることを目的に設けられている。
【００４８】
ガイドリブ１８は、記録紙トレイ１６に設けられている。このガイドリブ１８は、記録紙トレイ１６を、開口部１４が開放している位置から、一定の距離以上、開口部１４を塞ぐ位置へと向かう方向に変位させると、用紙ガイド１２と当接し、記録紙トレイ１６を同方向にさらに変位させると、同方向に用紙ガイド１２を押す。つまり、ガイドリブ１８は、記録紙トレイ１６において、記録紙トレイ１６を閉じたときに用紙ガイド１２と当接するように配置されている。
【００４９】
つまみ部材１９は、記録紙トレイ１６の側面に設けられている。つまみ部材１９を操作すると、用紙ガイド１２は、ロックが解除される。そして、ロックが解除された状態において、記録紙トレイ１６を閉じると、用紙ガイド１２は、ガイドリブ１８に押されて倒れる。一方、つまみ部材１９が操作されていないときには、用紙ガイド１２は、ロックされた状態となっているので、記録紙トレイ１６を閉じても倒れない。つまり、つまみ部材１９は、所望のタイミングにのみ、用紙ガイド１２が倒れることを許可するものである。つまみ部材１９を構成する機構の詳細な説明については、後述する。
【００５０】
また、ファクシミリ１０は、一般的な電話回線を使用した通話機能の実現のために、受話器２３を備えている。
【００５１】
また、矢印ＣＬは、記録紙トレイ１６をファクシミリ１０に対して閉じる（開口部１４を塞ぐ位置へと変位させる）方向を示しており、矢印ＯＰは、記録紙トレイ１６をファクシミリ１０に対して開く（開口部１４が開放している位置へと変位させる）方向を示している。
【００５２】
記録紙トレイ１６は、ファクシミリ１０に対して開かれる、すなわち、矢印ＯＰの方向に変位され、開口部１４が開放している位置となる（図１および図２参照）。これにより、記録紙トレイ１６は、記録紙を支持する部材として機能する。
【００５３】
一方、記録紙を使用しないときには、記録紙トレイ１６を、ファクシミリ１０に対して閉じておくことができる。すなわち、記録紙トレイ１６は、矢印ＣＬの方向に開口部１４を塞ぐ位置まで変位するように構成されている（図２および図３参照）。
【００５４】
ここで、つまみ部材１９の操作により用紙ガイド１２のロックを解除した状態で、記録紙トレイ１６をファクシミリ１０に対して閉じていくと、起立する用紙ガイド１２は、ガイドリブ１８と当接する。さらに、記録紙トレイ１６を閉じていくと、用紙ガイド１２はガイドリブ１８によって押される。そしてこのとき、ガイドリブ１８によって押された用紙ガイド１２は、用紙ガイド１２Ｒが用紙ガイド１２Ｌに向かって、用紙ガイド１２Ｌが用紙ガイド１２Ｒに向かって、それぞれ略９０°倒れ込む。すなわち、用紙ガイド１２Ｒおよび用紙ガイド１２Ｌのそれぞれが、挿入されている用紙の面に対して平行となるように倒れる。
【００５５】
このように、用紙ガイド１２は、記録紙トレイ１６に押されて倒れるため、その丈を十分な高さとしつつも、ファクシミリ１０の小型化を妨げない。
【００５６】
また、ファクシミリ１０は、小型化を図るにあたって、用紙ガイド１２の丈を低くする必要が無いので、用紙ガイド１２の機能を維持すると共にユーザの操作性を維持することができる。
【００５７】
従って、ファクシミリ１０は、用紙ガイド１２の機能を維持し、ユーザにとっての操作性の悪化を抑制しつつ、小型化を図ることが可能である。
【００５８】
図４は、図１に示すファクシミリ１０のうち、用紙ガイド１２およびその近傍を含む領域を拡大して示した斜視図である。ここでは、用紙ガイド１２のロックが解除されているものとして説明を行う。
【００５９】
矢印ＣＬが示す方向に沿って記録紙トレイ１６を閉じていくと、ある程度閉じられたところから、用紙ガイド１２Ｒおよび用紙ガイド１２Ｌのそれぞれは、記録紙トレイ１６のガイドリブ１８（図４には図示されていない）に押される。そこからさらに、矢印ＣＬが示す方向に沿って記録紙トレイ１６を閉じていくと、用紙ガイド１２Ｒおよび用紙ガイド１２Ｌのそれぞれは、ガイドリブ１８に押される力によって、対応する矢印Ｄの方向に略９０°倒れ、挿入されている用紙の面に対して平行となるように倒れる。
【００６０】
一方、矢印ＯＰが示す方向に沿って記録紙トレイ１６を開いていくと、用紙ガイド１２Ｒおよび用紙ガイド１２Ｌのそれぞれは、記録紙トレイ１６に設けられたガイドリブ１８から離れることによって、対応する矢印Ｕの方向に略９０°起き上がり（立ち上がり）、記録紙挿入部２０に挿入されている記録紙の面に対して垂直な方向に向かって突出する突起となる。
【００６１】
図５（ａ）は、上述した従来の画像記録装置３００の断面を簡略的に図示したイメージ図であり、図５（ｂ）は、本実施形態のファクシミリ１０の断面を簡略的に図示したイメージ図である。
【００６２】
図５（ａ）によれば、画像記録装置３００は、蓋部３０６を閉じたときに、蓋部３０６が用紙ガイド３０２に当接しないように、筐体３０５の丈を高くする必要があるため、小型化が不十分になる。
【００６３】
一方、図５（ｂ）によれば、ファクシミリ１０は、記録紙トレイ１６を閉じるときに、用紙ガイド１２が、記録紙トレイ１６に押されて倒れるため、用紙ガイド１２の存在（特に、用紙ガイド１２の丈）に依存して筐体部１５の丈を高くする必要がなくなり、小型化を図ることが可能となる。図５（ｂ）では、図面の性質上、用紙ガイド１２Ｒのみの図示となっているが、用紙ガイド１２Ｌについても用紙ガイド１２Ｒと同様のことが言える。
【００６４】
図６は、用紙ガイド１２が倒れる構成を実現するための、構成例を示す図であり、ここでは、用紙ガイド１２Ｒの構成を示している。
【００６５】
用紙ガイド１２Ｒは、突起１２１、本体部分１２２、およびバネ（立上部材）１２３を備えている。バネ１２３としては例えば、Ｖ字型に折り曲げられたバネ、いわゆるねじりコイルばねを使用することができる。バネ１２３は、突起１２１を立ち上げるためのものである。
【００６６】
用紙ガイド１２Ｒは、突起１２１と本体部分１２２をその接続部を軸に回動自在に接続されて構成されている。つまり、突起１２１と本体部分１２２は、同図の軸１２ａｘで矢印Ｄの向きに回動するようになっている。そして、バネ１２３が、バネ１２３の軸部分が突起１２１と本体部分１２２との接続部と同軸となるように、またその一端が突起１２１の外側の面（記録紙を支持する側と反対側の面、図６において右側）に、他端が本体部分１２２の裏面（用紙と接触しない側の面、図６において下側）に、取り付けられている。
【００６７】
用紙ガイド１２Ｒは、記録紙トレイ１６を閉じるときに、突起１２１が、ガイドリブ１８によって押されることにより、矢印Ｄの方向に倒れる。このとき、バネ１２３は、突起１２１と本体部分１２２とによって歪む。
【００６８】
そして、記録紙トレイ１６を開いたときには、ガイドリブ１８が突起１２１から離れるので、バネ１２３の力で、倒れていた突起１２１が矢印Ｕの方向に起き上がる。
【００６９】
用紙ガイド１２Ｌの構成も、用紙ガイド１２Ｒと同様である。用紙ガイド１２Ｌの構成および動作は、ファクシミリ１０の中心を通る中心線Ｃ（図１参照）に対して、用紙ガイド１２Ｒと対称となる。
【００７０】
また、図７は、ファクシミリ１０における、本体１３に対する、用紙ガイド１２、記録紙トレイ１６、および操作パネル部１７の組み立ての概略を示した図である。
【００７１】
図示のように、記録紙トレイ１６は、トレイ基材１６１と、記録紙トレイ部（下）１６２と、記録紙トレイ部（上）１６３とで構成される。
【００７２】
記録紙トレイ部（上）１６３は、記録紙トレイ部（下）１６２に対して、スライド可能に取り付けられる。そして、記録紙トレイ部（下）１６２は、トレイ基材１６１に対して、スライド可能に取り付けられる。なお、記録紙ガイド１６４・１６４は、記録後に排出された記録紙４１を、記録前の記録紙４１と分離するためのものである。これにより、記録紙トレイ１６を開いた状態としたときに、記録紙トレイ部（下）１６２および記録紙トレイ部（上）１６３をスライドさせて引き出すことにより、記録紙トレイ１６は、記録紙４１を支持することになる。
【００７３】
そして、トレイ基材１６１は、開口部１４（図１参照）を塞ぐ蓋として機能するため、開口部１４に合せたサイズで構成され、本体１３に対して回動自在に取り付けられる。
【００７４】
用紙ガイド１２Ｒには、バネ１２３が取り付けられる（図６参照）。また、用紙ガイド１２Ｒには、シャフト１２４が取り付けられ、このシャフト１２４が、本体１３に形成された挿入穴（図示しない）に挿入される。これにより、用紙ガイド１２Ｒは、本体１３に取り付けられる。
【００７５】
同様に、用紙ガイド１２Ｌには、バネ１２３が取り付けられる（図６参照）。また、用紙ガイド１２Ｌには、用紙ガイド１２Ｒとは別のシャフト１２４が取り付けられ、このシャフト１２４が、本体１３に形成された挿入穴（図示しない）に挿入される。これにより、用紙ガイド１２Ｌは、本体１３に取り付けられる。
【００７６】
また、ギヤおよびネジ１３１と、シャフト１２４のギヤと相対する側面に設けられたギヤの歯とが噛み合い、用紙ガイド１２は、一方の移動に連動して、その他方が移動するように構成されている。
【００７７】
操作パネル部１７は、支点１７１が筐体部１５（図１参照）に取り付けられる。
【００７８】
ここからは、用紙ガイド１２Ｒが倒れる動作の詳細について、図８（ａ）（ｂ）、図９（ａ）（ｂ）、図１０（ａ）（ｂ）、および図１１（ａ）（ｂ）を参照して説明する。
【００７９】
図８（ａ）は、用紙ガイド１２Ｒが倒れていない状態を示す正面図であり、図８（ｂ）は、図８（ａ）のうち、用紙ガイド１２Ｒが倒れる構成に関連する機構のみを拡大して図示した側面図である。
【００８０】
図９（ａ）は、用紙ガイド１２Ｒのロックを解除して、用紙ガイド１２Ｒが倒れる途中の状態を示す正面図であり、図９（ｂ）は、図９（ａ）のうち、用紙ガイド１２Ｒが倒れる構成に関連する機構のみを拡大して図示した側面図である。
【００８１】
図１０（ａ）は、用紙ガイド１２Ｒが倒れた状態を示す正面図であり、図１０（ｂ）は、図１０（ａ）のうち、用紙ガイド１２Ｒが倒れる構成に関連する機構のみを拡大して図示した側面図である。
【００８２】
図１１（ａ）は、図１０（ａ）に示す状態の後に用紙ガイド１２Ｒをロックした状態を示す正面図であり、図１１（ｂ）は、図１１（ａ）のうち、用紙ガイド１２Ｒが倒れる構成に関連する機構のみを拡大して図示した側面図である。
【００８３】
図８（ａ）に示すとおり、用紙ガイド１２Ｒは、記録紙トレイ１６に押されたときに、スムーズに倒れこむように、突起１２１の上端部が傾斜した形状となっている。より詳細には、突起１２１の上端部は、記録紙トレイ１６と当接する側の面が、正面図において左上がりとなるように傾斜している。言い換えれば、突起１２１の記録紙トレイ１６と接触する部位は、記録紙トレイ１６から、用紙ガイド１２の倒れこみ方向の力を受けることができるように傾斜した形状となっている。これにより、記録紙トレイ１６と当接した突起１２１が、この傾斜に沿って正面図の左向きにスムーズに倒れこむようにしている。
【００８４】
バネ１２３は、突起１２１が立ち上がった状態を保つように取り付けられている。
【００８５】
また、用紙ガイド１２Ｒには、突起１２１の下端部分にガイドストッパー（ガイド支持部材）１２５が設けられており、さらに、本体部分１２２とガイドストッパー１２５とが、圧縮コイルバネ１２６によって連結されている。
【００８６】
図８（ａ）および（ｂ）において、ガイドストッパー１２５は、突起１２１の回動を止めることで、用紙ガイド１２Ｒが倒れないように（すなわち、用紙ガイド１２Ｒをロックして）、用紙ガイド１２Ｒを支持するものである。図８（ｂ）に示す例では、ガイドストッパー１２５は、突起１２１の下端部分に対して、同右側から当接することにより、突起１２１の回動を止めている。このように、突起１２１の回動をロックすることにより、用紙ガイド１２Ｒを記録紙の紙幅に合せてスライドさせるときに、突起１２１のぐらつきを抑えてユーザの操作性を向上させることができる。
【００８７】
なお、突起１２１および本体部分１２２は、互いの連結部分に、軸１２９が通されており、この軸１２９により、突起１２１は本体部分１２２と接続されている。図８の（ｃ）〜（ｆ）はそれぞれ、図８（ｂ）のｃ−ｃ断面、ｄ−ｄ断面、ｅ−ｅ断面、ならびにｆ−ｆ断面を示す断面図であり、突起１２１、本体部分１２２、軸１２９の位置関係を示すものである。すなわち、図６をさらに参照すれば、用紙ガイド１２Ｒは、軸１２９が、軸１２ａｘの上を延伸していると解釈することができる。
【００８８】
さらに、ガイドストッパー１２５の下方には、ストッパー解除シャフト（支持解除部材）１２７が設けられている。ストッパー解除シャフト１２７は、ガイドストッパー１２５から離れた位置から、ガイドストッパー１２５を押す位置まで、移動可能に取り付けられる。ストッパー解除シャフト１２７は、ガイドストッパー１２５を押すことによって、突起１２１の下端部分の右側に当接しないような位置へとガイドストッパー１２５を移動させ、これにより、突起１２１の回動を可能とする（すなわち、用紙ガイドのロックを解除する）ことを目的に設けられている。
【００８９】
ストッパー解除シャフト１２７がガイドストッパー１２５を押すような位置へと移動すると、ガイドストッパー１２５は、突起１２１から離れ、突起１２１は回動可能となる。すなわち、ガイドストッパー１２５による支持は、ストッパー解除シャフト１２７によって解除される。従って、突起１２１は、記録紙トレイ１６（図１参照）を閉じたときに、ガイドリブ１８（図１参照）に押されることにより倒れる。なお、このとき、圧縮コイルバネ１２６は、ガイドストッパー１２５に押されて圧縮される。このため、ストッパー解除シャフト１２７がガイドストッパー１２５から離れると、圧縮コイルバネ１２６の弾性力によって、ガイドストッパー１２５は図８（ａ）および（ｂ）に示す位置に戻る。
【００９０】
記録紙トレイ１６を完全に閉じた状態としたときには、突起１２１は略９０°倒れる（図１０（ａ）および（ｂ）参照）。
【００９１】
ここで、ストッパー解除シャフト１２７を、図８（ａ）および（ｂ）に示す位置に戻したときには、圧縮コイルバネ１２６の弾性力により、ガイドストッパー１２５は、図８（ａ）および（ｂ）に示す位置に戻る。この状態において、記録紙トレイ１６を開いたときには、突起１２１の下端がガイドストッパー１２５と本体部分１２２との間に嵌まり込み、図８（ａ）および（ｂ）に示すロック状態となる。
【００９２】
なお、ストッパー解除シャフト１２７によって、用紙ガイド１２Ｌのロックの制御も行うことができるようにしてもよい。つまり、用紙ガイド１２Ｌ側にも、ガイドストッパー１２５を設け、このガイドストッパー１２５が用紙ガイド１２Ｒと兼用のストッパー解除シャフト１２７によって動作するように構成してもよい。これにより、用紙ガイド１２Ｒおよび１２Ｌの何れでもスライド操作を容易に行うことができる。
【００９３】
以下では、つまみ部材１９の操作によって、ロックが解除される仕組みについて、図１２〜図１８を参照して説明する。
【００９４】
図１２に示すとおり、ファクシミリ１０は、スライドシャフト１９１、カム（支持解除部材、突出部）１９２、およびクランクシャフト（支持解除部材、支持部材移動部）１２８をさらに備えている。
【００９５】
スライドシャフト１９１は、記録紙トレイ１６の内部において、つまみ部材１９に連結されており、つまみ部材１９との連結部分から、本体１３（図１参照）に対する記録紙トレイ１６の取り付け部分（支点）に向かって延伸しているシャフトである。スライドシャフト１９１は、つまみ部材１９の操作に応じて、延伸方向に沿って、該取り付け部分の近傍まで移動可能なものである。
【００９６】
カム１９２は、本体１３に対する記録紙トレイ１６の取り付け部分の近傍に設けられている。また、カム１９２は、スライドシャフト１９１の移動経路上に設けられており、移動するスライドシャフト１９１によって押され得る位置に設けられている。
【００９７】
クランクシャフト１２８は、ストッパー解除シャフト１２７を移動させるためのシャフトであり、その一端にストッパー解除シャフト１２７が接続されている。また、クランクシャフト１２８は、一端と他端との間で本体１３に対して回動可能に固定されており、ストッパー解除シャフト１２７が接続されていない側の端部は、本体１３に対する記録紙トレイ１６の取り付け部分の直下に配置されている。より詳細には、この端部は、カム１９２が突出した状態で記録紙トレイ１６が閉じたれたときに、カム１９２によって押され得る配置となっている。
【００９８】
つまみ部材１９を記録紙トレイ１６の取り付け部分に向けて移動させると、スライドシャフト１９１は、つまみ部材１９の移動と連動して、同方向に向けて移動する。
【００９９】
ここで、スライドシャフト１９１の記録紙トレイ１６の取り付け部分側端部の先には、カム１９２が配置されている。このため、つまみ部材１９の移動により、スライドシャフト１９１がカム１９２と当接し、カム１９２を押す。
【０１００】
そして、スライドシャフト１９１に押されると、カム１９２は、記録紙トレイ１６の記録用紙を支持する側の面から突出する（図１３参照）。
【０１０１】
この状態で、記録紙トレイ１６を閉じると、図１４に示すように、クランクシャフト１２８の端部に当接する。そして、図１５に示すように、記録紙トレイ１６をさらに閉じると、カム１９２がクランクシャフト１２８の端部を押し下げる。
【０１０２】
図１５において、クランクシャフト１２８の一端部が押し下げられると、クランクシャフト１２８のストッパー解除シャフト１２７が接続されている側の端部が、本体１３に固定されている箇所を軸として、押し上げられる。これにより、ストッパー解除シャフト１２７は、ガイドストッパー１２５に向かって移動し、ガイドストッパー１２５を押す。この動作は、上述した図９（ａ）および（ｂ）に示した動作と同一である。
【０１０３】
つまり、これにより、用紙ガイド１２Ｒのロックが解除され、用紙ガイド１２Ｒは記録紙トレイ１６に押されたときに倒れる状態となる。このため、カム１９２とクランクシャフト１２８とは、用紙ガイド１２Ｒと記録紙トレイ１６とが接触するより前に当接するように構成する必要がある。
【０１０４】
図１５に示した状態において、記録紙トレイ１６がさらに閉じられると、ガイドリブ１８は、用紙ガイド１２Ｒに当接する。このとき、ストッパー解除シャフト１２７の移動によって、ガイドストッパー１２５が突起１２１から離れているため、突起１２１は回動可能となっている。したがって、用紙ガイド１２Ｒは、ガイドリブ１８によって押されることによって倒れる（図１６参照）。
【０１０５】
記録紙トレイ１６が完全に閉じられたときには、用紙ガイド１２Ｒは略９０°倒れた状態となる（図１７参照）。
【０１０６】
用紙ガイド１２Ｒが倒れた状態において、つまみ部材１９を図１２に示した位置に戻すと、スライドシャフト１９１、カム１９２、ストッパー解除シャフト１２７およびクランクシャフト１２８、ならびにガイドストッパー１２５についても図１２に示した位置に戻る。
【０１０７】
なお、以上では、用紙ガイド１２Ｒが倒れる動作の詳細な説明を行ったが、用紙ガイド１２Ｒが倒れるのと一緒に、用紙ガイド１２Ｌが倒れることは、言うまでも無い。
【０１０８】
以上、本実施の形態では、ファクシミリについて説明を行ったが、本発明の電子機器は、その具体例がファクシミリに限定されず、複写機、およびプリンタ等の紙送りを行う任意の機器であってもよい。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１０】
本発明は、紙送りを行う機器に利用することができる。
【符号の説明】
【０１１１】
１０  ファクシミリ（紙送りを行う機器）
１１  用紙挿入部
１２  用紙ガイド
１３  本体
１４  開口部
１５  筐体部
１６  記録紙トレイ（蓋部材）
１７  操作パネル部
１９  つまみ部材（支持解除部材、スイッチ部）
２０  記録紙挿入部（用紙挿入部）
４１  記録紙
１２３  バネ（立上部材）
１２５  ガイドストッパー（ガイド支持部材）
１２７  ストッパー解除シャフト（支持解除部材）
１２８  クランクシャフト（支持解除部材、支持部材移動部）
１９２  カム（支持解除部材、突出部）
【図１】
2012030944.tif 000003
【図２】
2012030944.tif 000004
【図３】
2012030944.tif 000005
【図４】
2012030944.tif 000006
【図５】
2012030944.tif 000007
【図６】
2012030944.tif 000008
【図７】
2012030944.tif 000009
【図８】
2012030944.tif 000010
【図９】
2012030944.tif 000011
【図１０】
2012030944.tif 000012
【図１１】
2012030944.tif 000013
【図１２】
2012030944.tif 000014
【図１３】
2012030944.tif 000015
【図１４】
2012030944.tif 000016
【図１５】
2012030944.tif 000017
【図１６】
2012030944.tif 000018
【図１７】
2012030944.tif 000019
【図１８】
2012030944.tif 000020
【図１９】
2012030944.tif 000021
【図２０】
2012030944.tif 000022